(57)【特許請求の範囲】
【請求項１】
電子マネー情報が格納されたＩＣカードを処理する決済システムにおけるサウンドデータを用いたＩＣカード決済方法であって、
利用者端末が、ネットワークを介して音楽提供サーバに接続し、音楽提供サーバのデータベースに登録されているサウンドデータから、利用者により指定された決済完了サウンドデータをダウンロードするダウンロードステップと、
前記利用者端末が、前記音楽提供サーバからダウンロードした決済完了サウンドデータをＩＣカードに記録する記録ステップと、
店舗端末が、決済に使用するＩＣカードから決済完了サウンドデータと電子マネー情報を取得して記憶部に記憶する取得ステップと、
前記店舗端末が、前記記憶部に記憶されている電子マネー情報が示す残高から決済金額を差し引いて新たな残高を算出する算出ステップと、
前記店舗端末が、前記算出された新たな残高を示す電子マネー情報を生成し、前記ＩＣカードに送信するステップと、
前記店舗端末が、前記生成された電子マネー情報をＩＣカードへ送信した後、前記記憶部に記憶されている決済完了サウンドデータを読み出して出力するステップと、
を備えることを特徴とするサウンドデータを用いたＩＣカード決済方法。
【請求項２】
前記ダウンロードステップは、利用者により指定された残高不足サウンドデータを前記音楽提供サーバからさらにダウンロードし、
前記記録ステップは、前記音楽提供サーバからダウンロードした残高不足サウンドデータをＩＣカードにさらに記録し、
前記取得ステップは、前記ＩＣカードから残高不足サウンドデータをさらに取得し、
前記算出ステップは、決済金額と前記電子マネー情報が示す残高に基づいて、当該残高が不足しているか否かを判別し、不足している場合には前記記憶部に記憶されている残高不足サウンドデータを読み出して出力し、不足していない場合には前記新たな残高を算出する、
ことを特徴とする請求項１に記載のＩＣカード決済方法。
【請求項３】
前記ダウンロードステップは、利用者により指定されたチャージサウンドデータを前記音楽提供サーバからさらにダウンロードし、
前記記録ステップは、前記音楽提供サーバからダウンロードしたチャージサウンドデータをＩＣカードにさらに記録し、
チャージ用の端末が、電子マネーをチャージするＩＣカードから電子マネー情報とチャージ完了サウンドデータを取得して記憶部に記憶するステップと、
前記チャージ用の端末が、前記記憶部に記憶されている電子マネー情報が示す残高にチャージ金額を加算し、加算後の残高を示す電子マネー情報を生成し、当該電子マネー情報を前記ＩＣカードに送信するステップと、
前記チャージ用の端末が、前記生成された電子マネー情報を前記ＩＣカードに送信した後、前記記憶部に記憶されているチャージサウンドデータを読み出して出力するステップと、
をさらに備えることを特徴とする請求項１又は２に記載のＩＣカード決済方法。
【請求項４】
前記音楽提供サーバが、優待サウンドデータを前記データベースに記憶するステップと、
前記店舗端末が、前記ネットワークを介して前記音楽提供サーバに接続し、前記データベースに登録されている優待サウンドデータを示す登録情報を要求して取得する登録情報取得ステップと、をさらに備え、
前記算出ステップは、前記ＩＣカードから取得された決済用サウンドデータが、前記登録情報取得ステップにより取得された前記登録情報が示す優待サウンドデータのいずれかに該当するか否かを判別し、該当する場合には、予め設定された第１の優待処理を行うステップをさらに備える、
ことを特徴とする請求項１乃至３のいずれか１項に記載のＩＣカード決済方法。
【請求項５】
前記音楽提供サーバが、各前記優待サウンドデータに対応する各商品を示す優待商品情報を前記データベースに記憶するステップを備え、
前記登録情報取得ステップは、前記データベースに登録されている優待商品情報をさらに要求して取得し、
前記算出ステップは、決済対象の商品が、前記取得した優待商品情報が示す商品のいずれかに該当するか否かを判別し、該当する場合には、予め設定された第２の優待処理を行うステップをさらに備える、
ことを特徴とする請求項４に記載のＩＣカード決済方法。
【請求項６】
電子マネー情報が記憶されているＩＣカードを処理するカード決済システム用の店舗端末であって、
電子マネー情報と決済完了サウンドデータをＩＣカードに要求して受信する取得手段と、
前記ＩＣカードから受信した電子マネー情報と決済完了サウンドデータを所定の記憶領域に記憶する記憶手段と、
決済に関する入力を受け付ける入力手段と、
前記入力手段により受け付けた入力データに基づいて決済金額を算出する手段と、
前記所定の記憶領域に記憶されている電子マネー情報が示す残高から前記決済金額を差し引いて新たな残高を算出する算出手段と、
前記算出された新たな残高を示す電子マネー情報を生成し、前記ＩＣカードに送信する手段と、
前記生成された電子マネー情報を前記ＩＣカードに送信した後、前記所定の記憶領域に記憶されている決済完了サウンドデータを読み出して出力する手段と、
を備えることを特徴とする店舗端末。
【請求項７】
前記取得手段は、残高不足サウンドデータをさらに前記ＩＣカードに要求して受信し、
前記記憶手段は、前記ＩＣカードから受信した残高不足サウンドデータをさらに所定の記憶領域に記憶し、
前記算出手段は、前記決済金額と前記所定の記憶領域に記憶されている残高に基づいて、残高が不足しているか否かを判別し、不足している場合には前記所定の記憶領域に記憶されている残高不足サウンドデータを読み出して出力し、不足していない場合には前記新たな残高を算出する、
ことを特徴とする請求項６に記載の店舗端末。
【請求項８】
電子マネー情報とチャージ完了サウンドデータをＩＣカードに要求して受信する手段と、
前記ＩＣカードから受信した電子マネー情報と決済完了サウンドデータを所定の記憶領域に記憶する手段と、
チャージ金額の入力を受け付ける手段と、
前記所定の記憶領域に記憶されている電子マネーの残高にチャージ金額を加算し、加算後の残高を示す電子マネー情報を生成し、当該電子マネー情報を前記ＩＣカードに送信する手段と、
前記生成された電子マネー情報を前記ＩＣカードに送信した後、前記記憶部に記憶されているチャージサウンドデータを読み出して出力する手段と、
をさらに備えることを特徴とする請求項６又は７に記載の店舗端末。
【請求項９】
ネットワークを介して前記音楽提供サーバに接続する手段と、
前記音楽提供サーバのデータベースに登録されている優待サウンドデータを示す登録情報を前記音楽提供サーバに要求して取得する登録情報取得手段と、
前記算出手段は、前記ＩＣカードから取得された決済用サウンドデータが、前記登録情報取得手段により取得された前記登録情報が示す優待サウンドデータのいずれかに該当するか否かを判別し、該当する場合には、予め設定された第１の優待処理を行う手段をさらに備える、
ことを特徴とする請求項６乃至８のいずれか１項に記載の店舗端末。
【請求項１０】
前記登録情報取得手段は、前記音楽提供サーバの前記データベースに登録されている、各前記優待サウンドデータに対応する各商品を示す優待商品情報をさらに要求して取得し、
前記算出手段は、前記入力データにより特定される決済対象の商品が、前記取得した優待商品情報が示す商品のいずれかに該当するか否かを判別し、該当する場合には、予め設定された第２の優待処理を行う手段をさらに備える、
ことを特徴とする請求項９に記載の店舗端末。
【発明の詳細な説明】
【技術分野】
【０００１】
この発明は、プリペイドＩＣカードを用いて決済を行う場面において、決済システムの店舗端末がＩＣカードに記憶されているサウンドデータを読み出して、決済完了の確認音として出力するＩＣカード決済方法等に関する。
【背景技術】
【０００２】
従来、ＩＣカードでの決済時に、決済が完了したことを示す確認音を出力するようなレジスタやＰＯＳ端末等の店舗端末を備えるＩＣカード決済システムが存在していた。このようなシステムは、例えば、店舗端末の記憶部に確認音の音データが予め設定記憶されており、店舗端末の制御部が決済の完了等に応じて、確認音の音データを読み出して（又は、合成して）出力することにより実現されていた。
【０００３】
また、例えば、商品データの入力直後に鳴らす入力確認音を登録処理時と割込処理時とで異ならせる電子式キャッシュレジスタもある（特許文献１参照）。
【特許文献１】特開平５−１６６０６３号公報（第３頁、第４図）
【発明の開示】
【発明が解決しようとする課題】
【０００４】
しかし、決済の場面において、確認音として利用者（購入者）の好みのサウンドを鳴らすような決済システムは未だ実現されていない。例えば、そのような決済の場において利用者の好みのサウンドを鳴らすことができれば、利用者はそのサウンドを好んで聞くため、決済における確認音としての効果が増すことが期待される。
【０００５】
また、例えば、上記のように、決済に関する場面において確認音として利用者の好みのサウンドを鳴らすことができる決済システムにおいて、企業等が提供したサウンドデータを利用した者に対して優待サービスを行うことで、企業等の宣伝効果を向上することができるような仕組みの実現が期待される。
【０００６】
本発明は、上記実状に鑑みてなされたものであり、決済に関する確認音として利用者の好みの音楽を鳴らすことができる、サウンドデータを用いたＩＣカード決済方法及び店舗端末を提供することを目的とする。
また、決済に関する確認音として利用者の好みの音楽を鳴らすことができるシステムにおいて、企業等が提供したサウンドデータを使用した利用者に対して優待サービスを行うことで、企業等の宣伝効果を向上することができるようなＩＣカード決済方法及び店舗端末を提供することを他の目的とする。
【課題を解決するための手段】
【０００７】
上記目的を達成するため、この発明の第１の観点に係るＩＣカード決済方法は、
電子マネー情報が格納されたＩＣカードを処理する決済システムにおけるサウンドデータを用いたＩＣカード決済方法であって、
利用者端末が、ネットワークを介して音楽提供サーバに接続し、音楽提供サーバのデータベースに登録されているサウンドデータから、利用者により指定された決済完了サウンドデータをダウンロードするダウンロードステップと、
前記利用者端末が、前記音楽提供サーバからダウンロードした決済完了サウンドデータをＩＣカードに記録する記録ステップと、
店舗端末が、決済に使用するＩＣカードから決済完了サウンドデータと電子マネー情報を取得して記憶部に記憶する取得ステップと、
前記店舗端末が、前記記憶部に記憶されている電子マネー情報が示す残高から決済金額を差し引いて新たな残高を算出する算出ステップと、
前記店舗端末が、前記算出された新たな残高を示す電子マネー情報を生成し、前記ＩＣカードに送信するステップと、
前記店舗端末が、前記生成された電子マネー情報をＩＣカードへ送信した後、前記記憶部に記憶されている決済完了サウンドデータを読み出して出力するステップと、
を備えることを特徴とする。
【０００８】
このような構成によれば、店舗端末において、決済完了の確認音として、ＩＣカードに格納された利用者好みのサウンドを鳴らすことができる。
【０００９】
前記ダウンロードステップは、利用者により指定された残高不足サウンドデータを前記音楽提供サーバからさらにダウンロードしてもよく、
前記記録ステップは、前記音楽提供サーバからダウンロードした残高不足サウンドデータをＩＣカードにさらに記録してもよく、
前記取得ステップは、前記決済に使用するＩＣカードから残高不足サウンドデータをさらに取得してもよく、
前記算出ステップは、決済金額と前記記憶部に記憶されている残高に基づいて、残高が不足しているか否かを判別し、不足している場合には前記記憶部に記憶されている残高不足サウンドデータを読み出して出力し、不足していない場合には前記新たな残高を算出するようにしてもよい。
【００１０】
これにより、決済が正しく完了した場合には、利用者の好みで指定された決済完了用のサウンドを確認音として鳴らし、また、残高が不足した場合には、利用者の好みで指定された残高不足用のサウンドを確認音として鳴らすことができる。
【００１１】
前記ダウンロードステップは、利用者により指定されたチャージサウンドデータを前記音楽提供サーバからさらにダウンロードしてもよく、
前記記録ステップは、前記音楽提供サーバからダウンロードしたチャージサウンドデータをＩＣカードにさらに記録してもよく、
チャージ用の端末が、電子マネーをチャージするＩＣカードから電子マネー情報とチャージ完了サウンドデータを取得して記憶部に記憶するステップと、
前記チャージ用の端末が、前記記憶部に記憶されている電子マネーの残高にチャージ金額を加算し、加算後の残高を示す電子マネー情報を生成し、当該電子マネー情報を前記ＩＣカードに送信するステップと、
前記チャージ用の端末が、前記生成された電子マネー情報を前記ＩＣカードに送信した後、前記記憶部に記憶されているチャージサウンドデータを読み出して出力するステップと、
をさらに備えてもよい。
【００１２】
前記音楽提供サーバが、優待サウンドデータを前記データベースを記憶するステップと、
前記店舗端末が、前記ネットワークを介して前記音楽提供サーバに接続し、前記データベースに登録されている優待サウンドデータを示す登録情報を要求して取得する登録情報取得ステップと、をさらに備えてもよく、
前記算出ステップは、前記ＩＣカードから取得された決済用サウンドデータが、前記登録情報取得ステップにより取得された前記登録情報が示す優待サウンドデータのいずれかに該当するか否かを判別し、該当する場合には、予め設定された第１の優待処理を行うステップをさらに備えてもよい。
【００１３】
これにより、利用者が予め企業のＣＭソング等の優待サウンドデータをＩＣカードに格納して、そのカードを決済に使用することにより、利用者が割引等の優待サービスを受けることができる仕組みを実現できる。このような優待サービスにより、優待サウンドデータの決済の確認音として利用が増加するため、企業等の宣伝効果が向上する。
【００１４】
前記音楽提供サーバが、各前記優待サウンドデータに対応する各商品を示す優待商品情報を前記データベースに記憶するステップを備えてもよく、
前記登録情報取得ステップは、前記データベースに登録されている優待商品情報をさらに要求して取得してもよく、
前記算出ステップは、決済対象の商品が、前記取得した優待商品情報が示す商品のいずれかに該当するか否かを判別し、該当する場合には、予め設定された第２の優待処理を行うステップをさらに備えてもよい。
【００１５】
これにより、優待サウンドデータに対応する優待商品を購入する場合には、さらに優待サービスを受けることができる。このような優待サービスにより、優待サウンドデータの決済の確認音として利用が増加するため、企業の宣伝効果が向上する。また、商品購入のリピート率を向上させることができる。
【００１６】
また、この発明の第２の観点に係る店舗端末は、
電子マネー情報が記憶されているＩＣカードを処理するカード決済システム用の店舗端末であって、
電子マネー情報と決済完了サウンドデータをＩＣカードに要求して受信する取得手段と、
前記ＩＣカードから受信した電子マネー情報と決済完了サウンドデータを所定の記憶領域に記憶する記憶手段と、
決済に関する入力を受け付ける入力手段と、
前記入力手段により受け付けた入力データに基づいて決済金額を算出する手段と、
前記所定の記憶領域に記憶されている電子マネー情報が示す残高から前記決済金額を差し引いて新たな残高を算出する算出手段と、
前記算出された新たな残高を示す電子マネー情報を生成し、前記ＩＣカードに送信する手段と、
前記生成された電子マネー情報を前記ＩＣカードに送信した後、前記所定の記憶領域に記憶されている決済完了サウンドデータを読み出して出力する手段と、
を備えることを特徴とする。
【００１７】
前記取得手段は、残高不足サウンドデータをさらに前記ＩＣカードに要求して受信してもよく、
前記記憶手段は、前記ＩＣカードから受信した残高不足サウンドデータをさらに所定の記憶領域に記憶してもよく、
前記算出手段は、前記決済金額と前記所定の記憶領域に記憶されている残高に基づいて、残高が不足しているか否かを判別し、不足している場合には前記所定の記憶領域に記憶されている残高不足サウンドデータを読み出して出力し、不足していない場合には前記新たな残高を算出してもよい。
【００１８】
電子マネー情報とチャージ完了サウンドデータをＩＣカードに要求して受信する手段と、
前記ＩＣカードから受信した電子マネー情報と決済完了サウンドデータを所定の記憶領域に記憶する手段と、
チャージ金額の入力を受け付ける手段と、
前記所定の記憶領域に記憶されている電子マネーの残高にチャージ金額を加算し、加算後の残高を示す電子マネー情報を生成し、当該電子マネー情報を前記ＩＣカードに送信する手段と、
前記生成された電子マネー情報を前記ＩＣカードに送信した後、前記記憶部に記憶されているチャージサウンドデータを読み出して出力する手段と、
をさらに備えてもよい。
【００１９】
ネットワークを介して前記音楽提供サーバに接続する手段と、
前記音楽提供サーバのデータベースに登録されている優待サウンドデータを示す登録情報を前記音楽提供サーバに要求して取得する登録情報取得手段と、
前記算出手段は、前記ＩＣカードから取得された決済用サウンドデータが、前記登録情報取得手段により取得された前記登録情報が示す優待サウンドデータのいずれかに該当するか否かを判別し、該当する場合には、予め設定された第１の優待処理を行う手段をさらに備えてもよい。
【００２０】
前記登録情報取得手段は、前記音楽提供サーバの前記データベースに登録されている、各前記優待サウンドデータに対応する各商品を示す優待商品情報をさらに要求して取得してもよく、
前記算出手段は、前記入力データにより特定される決済対象の商品が、前記取得した優待商品情報が示す商品のいずれかに該当するか否かを判別し、該当する場合には、予め設定された第２の優待処理を行う手段をさらに備えてもよい。
【発明の効果】
【００２１】
本発明によれば、決済に関する確認音として利用者の好みの音楽を鳴らすことができる。
【発明を実施するための最良の形態】
【００２２】
以下、本発明の実施の形態に係るＩＣカード決済システムを図面を参照して説明する。
【００２３】
（第１の実施形態）
本発明の第１の実施形態に係るＩＣカード決済システムの機能構成図を図１に示す。このＩＣカード決済システムは、音楽提供サーバ１と、利用者端末２と、ＩＣカード３と、店舗端末４と、を備え、音楽提供サーバ１と利用者端末２とは、インターネット等のネットワーク１０により接続される。また、店舗端末４は、例えば決済用ネットワーク等に接続されている。
【００２４】
音楽提供サーバ１は、例えば図２に示すように、制御部１１、記憶部１２、通信制御部１３等を備えるコンピュータから構成される。
制御部１１は、ＣＰＵ（Central Processing Unit）、ＲＯＭ（Read Only Memory）、ＲＡＭ（Random Access Memory）等から構成され、音楽提供サーバ１全体を制御する。制御部１１は、記憶部１２に予め記憶された動作プログラム等を読み出して実行することにより、サウンド提供部１１ａを論理的に実現する。
【００２５】
サウンド提供部１１ａは、例えば、ネットワーク１０上において、ＩＣカード３に格納するためのサウンドデータを供給するサイト（音楽提供サイト）を実現する。サウンド提供部１１ａは、ネットワーク１０を介して利用者端末２から受信した音楽提供サイトへのアクセス要求に応じて、サウンドデータを供給するためのウェブページ（音楽選択画面）を生成し、要求元に送信する。このウェブページは、例えば、記憶部１２におけるサウンドＤＢ（データベース）１２ａに登録されているサウンドデータの一覧を表示し、利用者が所望するサウンドデータの選択入力を受け付けるような構成を有する。サウンド提供部１１ａは、利用者端末２から、利用者により選択されたサウンドデータを示す入力データを受信すると、受信データが示すサウンドデータを記憶部１２のサウンドＤＢ１２ａから読み出して、要求元の利用者端末２に送信する。
【００２６】
記憶部１２は、例えば、ハードディスク装置等から構成される。記憶部１２は、制御部１１が実行するための動作プログラム及び処理に必要な各種データを記憶する。また、記憶部１２は、種々のサウンドデータが格納されるサウンドＤＢ１２ａを備える。なお、サウンドデータのデータフォーマットは任意であり、例えば、ＭＩＤＩ(Musical Instrument Digital Interface)形式等でもよい。
通信制御部１３は、ルータ等の通信装置に接続され、ネットワーク１０を介して他のコンピュータとの間でデータ通信を行うためのものである。
【００２７】
利用者端末２は、例えば図３に示すように、制御部２１、記憶部２２、表示部２３、入力部２４、通信制御部２５、インターフェース部２６等を備えるコンピュータから構成され、例えば、パーソナルコンピュータや携帯電話機等を含む。利用者端末２は、インターフェース部２６を介してＩＣカード３のリーダ／ライタ装置２７と接続されている。
【００２８】
制御部２１は、ＣＰＵ、ＲＯＭ、ＲＡＭ等から構成され、記憶部２２に予め記憶された動作プログラム等を読み出して実行することにより、ネットワーク１０を介して音楽提供サーバ１に接続し、利用者が選択したサウンドデータをダウンロードして記憶部２２に記憶する。そして、制御部２１は、ダウンロードしたサウンドデータを所定の書込要求とともにインタフェース部２６を介してリーダ／ライタ装置２７に供給し、ＩＣカード３に記録させる。
【００２９】
記憶部２２は、例えば、ハードディスク装置等から構成され、制御部２１が実行するための動作プログラム及び処理に必要な各種データを記憶する。
表示部２３は、ＣＲＴ、液晶ディスプレイ等の表示装置から構成され、制御部２１からの指示に従って種々の画面表示を行う。
入力部２４は、例えば、キーボード、ポインティング・デバイス等の入力装置から構成され、入力された情報を制御部２１に供給する。
通信制御部２５は、例えばモデム等の通信装置から構成され、ネットワーク１０を介して音楽提供サーバ１等とデータ通信を行うためのものである。
インタフェース部２６は、リーダ／ライタ装置２７に接続され、制御部２１からの指示に従って、制御部２１より供給された情報をリーダ／ライタ装置２７に供給し、また、リーダ／ライタ装置２７から供給された情報を制御部２１に供給する。
【００３０】
リーダ／ライタ装置２７は、ＩＣカードの装着部を有し、利用者端末２から供給されたデータ等を装着部に装着されたＩＣカード３に供給する。また、ＩＣカード３から供給されたデータ等を利用者端末２に供給する。
【００３１】
ＩＣカード３は、例えば図４に示すような、メモリ３１とＣＰＵ３２とを備えるＩＣ部（ＩＣチップ）が埋設されている。
メモリ３１には、ＣＰＵ３２により実行されるプログラムやカードＩＤ等が予め記憶されており、また、後述する種々の処理により、電子マネー情報やサウンドデータ等のデータが記憶される。
ＣＰＵ３２はメモリ３１に記憶されるプログラムを実行することにより、サウンドデータをメモリ３１に記憶する処理、電子マネーをチャージする処理、店舗においてメモリ３１に記憶されている電子マネーを支払う処理等を行う。
【００３２】
サウンドデータをメモリ３１に記憶する処理では、ＣＰＵ３２は、例えば、利用者端末２からサウンドデータとデータの格納要求を受信すると、受信したサウンドデータをメモリ３１の所定領域に記憶する。例えば、既に他のサウンドデータが登録されている場合には、そのサウンドデータを消去して登録してもよい。
また、電子マネーをチャージする処理では、ＣＰＵ３２は、例えば、店舗端末４等のチャージ機能を有するチャージ端末から電子マネー情報の要求を受信すると、メモリ３１から電子マネー情報を読み出して端末に送信する。そして、チャージ後の電子マネー情報をチャージ端末から受信し、メモリ３１に更新して記録する。
また、電子マネーの支払処理では、ＣＰＵ３２は、例えば、店舗端末４からサウンドデータと電子マネー情報の要求を受信すると、メモリ３１からサウンドデータと電子マネー情報を読み出して店舗端末４に送信する。そして、残高から代金が差し引かれた後の電子マネー情報を店舗端末４から受信し、メモリ３１に更新して記録する。
【００３３】
店舗端末４は、例えば図５に示すように、制御部４１、記憶部４２、表示部４３、入力部４４、通信制御部４５、スピーカ部４６、カードリーダ／ライタ部４７、を備えるコンピュータから構成され、例えば、レジスターやＰＯＳ端末等を含む。
【００３４】
制御部４１は、ＣＰＵ、ＲＯＭ、ＲＡＭ等から構成され、記憶部４２に予め記憶された動作プログラム等を読み出して実行することにより、商品の代金の決済を行う決済処理、ＩＣカードに電子マネーをチャージするチャージ処理等を行う。
【００３５】
決済処理では、制御部４１は、決済対象の商品の商品コードを入力部４４から受けて、入力された商品コードに対応する商品情報（商品名、価格等）を記憶部４２の商品ＤＢ４２ａから読み出し、購入対象の商品の価格を合算して決済金額を算出し、算出結果を表示部４３に表示する。そして、制御部４１は、例えば、カードリーダ／ライタ部４７に装着されたＩＣカード３に対して、サウンドデータと電子マネー情報の要求信号を送信し、この要求に応じてＩＣカード３から供給されるサウンドデータと電子マネー情報を受信して記憶部４２のワーク領域に記憶する。そして、制御部４１は、ワーク領域における電子マネー情報が示す残高から決済金額を差し引いた新たな残高を算出する算出処理を行い、算出した新たな残高を示す電子マネー情報を生成して、書込要求とともにカードリーダ／ライタ部４７を介してＩＣカード３に送信する。そして、例えば、ＩＣカード３からの更新完了信号の受信等に応じて、記憶部４２のワーク領域におけるサウンドデータを読み出し、所定の変換処理等を行ってスピーカ部４６からサウンドを出力する。また、制御部４１は、サウンドの出力後等の所定のタイミングでワーク領域における電子マネー情報とサウンドデータをクリアする。また、算出処理において、残高が不足している場合（残高−決済金額＜０の場合等）には、エラー表示を行う等の所定のエラー処理を行う。
また、制御部４１は、決済内容（カードＩＤ、決済金額等）を示す決済データを生成して記憶部４２に蓄積記憶し、決済データを所定のタイミングで決済用ネットワークを介して管理用コンピュータ等に送信する。
【００３６】
また、チャージ処理では、制御部４１は、ＩＣカード３へのチャージ金額の入力を入力部４４から受け付けて、カードリーダ／ライタ部４７に装着されたＩＣカード３に対して、電子マネー情報の要求信号を送信する。この要求に応じて、ＩＣカード３から供給される電子マネー情報を受信して、記憶部４２のワーク領域に記憶する。そして、制御部４１は、ワーク領域における電子マネー情報が示す残高にチャージ金額を加算して新たな残高を算出し、算出した新たな残高を示す電子マネー情報を生成して、書込要求とともにカードリーダ／ライタ部４７を介してＩＣカード３に送信する。
【００３７】
記憶部４２は、例えば、ハードディスク装置等から構成され、制御部４１が実行するための動作プログラム及び処理に必要な各種データを記憶する。また、記憶部４２は、各商品の商品コード、商品名、価格等の商品情報を記憶する商品ＤＢ４２ａを備える。また、記憶部４２は、ＩＣカード３から受信した電子マネー情報、サウンドデータ等を一時的に記憶する。
【００３８】
表示部４３は、例えば、ＣＲＴ、液晶ディスプレイ等の表示装置から構成され、制御部４１からの指示に従って種々の画面表示を行う。
入力部４４は、例えば、キーボード、ポインティング・デバイス、バーコードリーダ等の入力装置から構成され、入力された情報を制御部４１に供給する。
通信制御部４５は、例えば店舗の決済用ネットワークに接続され、図示せぬ店舗の決済用サーバ等とデータ通信を行う。
スピーカ部４６は、制御部４１から受信したサウンドデータの音声信号を出力する。
カードリーダ／ライタ部４７は、ＩＣカードの装着部を有し、制御部４１から供給されたデータ等を装着部に装着されたＩＣカード３に送信する。また、装着されたＩＣカード３から供給されたデータ等を受信して制御部４１に供給する。
【００３９】
次に、本実施形態に係るＩＣカード決済システムのシステム動作について説明する。
まず、利用者（購入者）がＩＣカード３に好みのサウンドデータをダウンロードする場面におけるシステム動作について図６を参照して説明する。
【００４０】
まず、利用者は、利用者端末２に接続されているリーダ／ライタ装置２７に自己のＩＣカード３を装着し、利用者端末２を用いて音楽提供サイトにアクセスするための操作を行う。この入力操作に応じて、利用者端末２は、ネットワーク１０を介して音楽提供サーバ１にアクセスする（Ｌ１）。
音楽提供サーバ１は、利用者端末２からのアクセスに応じて、サウンドデータの選択入力を受け付けるウェブページ（音楽選択画面情報）を利用者端末２に送信する（Ｌ２）。
利用者端末２は、音楽提供サーバ１から受信した音楽選択画面情報を表示する。利用者は、表示された画面において、好みのサウンドデータを選択入力する操作を行う。利用者端末２は、利用者による選択入力を受け付け、選択されたサウンドデータを示す入力データを音楽提供サーバ１に送信する（Ｌ３）。
【００４１】
音楽提供サーバ１は、利用者端末２からの入力データを受信し、これに基づいて、該当サウンドデータをサウンドＤＢ１２ａから読み出して、利用者端末２に送信する（Ｌ４）。
利用者端末２は、音楽提供サーバ１からサウンドデータを受信し、リーダ／ライタ装置２７を介してＩＣカード３に送信する（Ｌ５）。ＩＣカード３は、サウンドデータを受信し、メモリ３１に更新記録する。
これにより、利用者の好みのサウンドデータがＩＣカード３に格納される。
【００４２】
次に、店舗で商品の代金をＩＣカード３で決済をする場面において店舗端末４により実行される決済処理について図７のフローチャートを参照して説明する。
例えば店舗のレジにおいて、利用者は商品の代金を支払うため購入対象の商品とＩＣカード３を店員に渡す。店員は、店舗端末４に対して、決済を開始するための所定の入力操作を行う。これに応じて、店舗端末４の制御部４１は、決済対象の商品の商品コードの入力を受け付ける（ステップＳ１）。
次に、制御部４１は、入力された商品コードに対応する価格等を商品ＤＢ４２ａから読み出す（ステップＳ２）。
次に、制御部４１は、読み出した商品の価格を合算して決済金額を算出し、算出結果を表示部４３に表示する（ステップＳ３）。
そして、制御部４１は、店員によりカードリーダ／ライタ部４７に装着されたＩＣカード３に対して、サウンドデータと電子マネー情報の要求信号を送信する（ステップＳ４）。これに応じて、ＩＣカード３では、店舗端末４からの要求信号に応じて、メモリ３１に記憶されている電子マネー情報とサウンドデータを読み出して、店舗端末４に送信する。
【００４３】
制御部４１は、ＩＣカード３から電子マネー情報とサウンドデータを受信して記憶部４２のワーク領域に記憶する（ステップＳ５）。そして、ワーク領域に記憶された電子マネー情報が示す残高から決済金額を差し引いて新たな残高を算出し（ステップＳ６）、その新たな残高を含む電子マネー情報を生成し（ステップＳ７）、生成した電子マネー情報と書込要求をＩＣカード３に送信する（ステップＳ８）。これに応じて、ＩＣカード３では、店舗端末４から書込要求と電子マネー情報を受信し、電子マネー情報をメモリ３１に更新して記録する。そして、更新完了信号を店舗端末４に送信する。
【００４４】
制御部４１は、例えば、ＩＣカード３からの更新完了信号の受信等に応じて、ワーク領域におけるサウンドデータを読み出してサウンドを出力する（ステップＳ９）。
これにより、決済完了の確認音として、ＩＣカード３に格納された利用者好みのサウンドが鳴る。
【００４５】
（第２の実施形態）
次に、本発明に係る第２の実施形態について説明する。本発明の第２の実施形態のＩＣカード決済システムは、（１）通常の支払完了時、（２）支払の際における電子マネーの残高不足時、（３）電子マネーのチャージの完了時、等の決済に関する複数の状況において、それぞれ異なる利用者の好みのサウンドを鳴らすシステムである。本システムの構成は第１の実施形態と同様であり、音楽提供サーバ１と、利用者端末２と、ＩＣカード３と、店舗端末４と、を備え、音楽提供サーバ１と利用者端末２とは、インターネット等のネットワーク１０により接続される。
【００４６】
音楽提供サーバ１は、第１の実施形態と同様の機能及び構成を有し、利用者端末２からの要求に応じてサウンドデータを供給するものである。
【００４７】
利用者端末２は、第１の実施形態とほぼ同様の機能及び構成を有するが、利用者による入力操作に従って、音楽提供サーバ１から複数のサウンドデータをダウンロードし、上記（１）〜（３）の各状況において鳴らすサウンドを、ダウンロードした複数のサウンドデータから利用者に指定させて、ＩＣカード３に記憶する機能を有する点で第１の実施形態と相違する。
具体的には、制御部２１は、記憶部２２に予め記憶された動作プログラム等を読み出して実行することにより、ネットワーク１０を介して音楽提供サーバ１に接続して、音楽提供サイトにおいて利用者が選択した複数のサウンドデータをダウンロードして記憶部２２に記憶する。そして、制御部２１は、通常の支払完了時に鳴らすサウンドデータ（決済完了サウンドデータ）と、支払の際における電子マネーの残高不足時に鳴らすサウンドデータ（残高不足サウンドデータ）と、電子マネーのチャージの完了時に鳴らすサウンドデータ（チャージ完了サウンドデータ）を、ダウンロードした複数のサウンドデータから指定させるような入力画面を表示部２３に表示して、これに対する入力を受け付ける。そして、利用者により決済完了サウンドデータとして指定されたサウンドデータと、残高不足サウンドデータとして指定されたサウンドデータと、チャージ完了サウンドデータとして指定されたサウンドデータと、を記憶部２２から読み出し、読み出した各サウンドデータを、決済完了サウンドデータと残高不足サウンドデータとチャージ完了サウンドデータの書込要求とともに、インタフェース部２６を介してリーダ／ライタ装置２７に供給してＩＣカード３に記録させる。
【００４８】
ＩＣカード３は、第１の実施形態とほぼ同様の機能及び構成を有するが、例えば図８に示すように、決済完了サウンドデータを記憶するための第１の記憶領域と、残高不足サウンドデータを記憶するための第２の記憶領域と、チャージ完了サウンドデータを記憶するための第３の記憶領域と、をメモリ３１に備え、各記憶領域にそれぞれ対応するサウンドデータを記録し、上記（１）〜（３）の各状況において端末側から指定されるサウンドデータを読み出して供給する処理を行う点で第１の実施形態と相違する。
【００４９】
具体的には、ＩＣカード３のＣＰＵ３２は、利用者端末２から、所定の書込要求とともに、決済完了サウンドデータと残高不足サウンドデータとチャージ完了サウンドデータを利用者端末２から受信すると、受信した決済完了サウンドデータを第１の記憶領域に記憶し、受信した残高不足サウンドデータを第２の記憶領域に記憶し、受信したチャージ完了サウンドデータを第３の記憶領域に記憶する。
【００５０】
また、ＩＣカード３のＣＰＵ３２は、店舗端末４から決済完了サウンドデータを要求された場合には、第１の記憶領域から決済完了サウンドデータを読み出して店舗端末４に送信する。また、店舗端末４から残高不足サウンドデータを要求された場合には、第２の記憶領域から残高不足サウンドデータを読み出して店舗端末４に送信する。また、店舗端末４等のチャージ機能を有する端末から、チャージ完了サウンドデータを要求された場合には、第３の記憶領域からチャージ完了サウンドデータを読み出して端末に送信する。
【００５１】
店舗端末４は、第１の実施形態とほぼ同様の機能及び構成を有するが、上記（１）〜（３）の各状況において、状況に対応するサウンドデータをＩＣカード３から取得して出力する機能を有する点で第１の実施形態と相違する。
具体的には、店舗端末４の制御部４１は、決済処理において、ＩＣカード３に対して、決済完了サウンドデータと残高不足サウンドデータと電子マネー情報の要求信号を送信し、この要求に応じてＩＣカード３から供給される決済完了サウンドデータと残高不足サウンドデータと電子マネー情報を受信して記憶部４２のワーク領域に記憶する。そして、算出処理において、電子マネー情報が示す残高が不足しているか否か（残高−決済金額＜０であるか等）を判別し、不足していない場合には、残高から決済金額を差し引いた新たな残高に基づいて生成した電子マネー情報をＩＣカード３に送信し、ＩＣカード３からの更新完了信号の受信等に応じて、ワーク領域における決済完了サウンドデータを読み出してサウンドを出力する。また、残高が不足している場合には、ワーク領域における残高不足サウンドデータを読み出してサウンドを出力し、エラー表示する等の所定のエラー処理を行う。
【００５２】
また、制御部４１は、チャージ処理において、チャージ金額の入力を受け付けると、ＩＣカード３に対して、チャージ完了サウンドデータと電子マネー情報の要求信号を送信し、この要求に応じてＩＣカード３から供給されるチャージ完了サウンドデータと電子マネー情報を受信して、記憶部４２のワーク領域に記憶する。そして、残高にチャージ金額を加算した新たな残高に基づいて生成した電子マネー情報をＩＣカード３に送信し、ＩＣカード３からの更新完了信号の受信等に応じて、ワーク領域におけるチャージ完了サウンドデータを読み出してサウンド出力する。
【００５３】
次に、決済場面において本実施形態の店舗端末４により実行される決済処理について、図９のフローチャートを参照して説明する。
例えば店舗のレジにおいて、店員は、店舗端末４に対して、決済を開始するための所定の入力操作を行う。これに応じて、店舗端末４の制御部４１は、決済対象の商品の商品コードの入力を受け付ける（ステップＳ１１）。
次に、制御部４１は、入力された商品コードに対応する価格等を商品ＤＢ４２ａから読み出す（ステップＳ１２）。
次に、制御部４１は、読み出した商品の価格を合算して決済金額を算出し、算出結果を表示部４３に表示する（ステップＳ１３）。
そして、制御部４１は、店員によりカードリーダ／ライタ部４７に装着されたＩＣカード３に対して、決済完了サウンドデータと残高不足サウンドデータと電子マネー情報の要求信号を送信する（ステップＳ１４）。これに応じて、ＩＣカード３では、店舗端末４からの要求信号に応じて、メモリ３１の各記憶領域に記憶されている決済完了サウンドデータと残高不足サウンドデータと電子マネー情報を読み出して、店舗端末４に送信する。
【００５４】
制御部４１は、ＩＣカード３から決済完了サウンドデータと残高不足サウンドデータと電子マネー情報を受信して記憶部４２のワーク領域に記憶する（ステップＳ１５）。そして、ワーク領域に記憶された電子マネー情報が示す残高から決済金額を差し引く算出処理を行い（ステップＳ１６）、算出結果に基づいて、残高が不足しているか否か（即ち、残高−決済金額＜０であるか等）を判別し（ステップＳ１７）、カードの残高が不足していない場合（残高−決済金額≧０等）には（ステップＳ１７：ＮＯ）、残高から決済金額を差し引いた新たな残高に基づいて電子マネー情報を生成して（ステップＳ１８）、ＩＣカード３に送信し（ステップＳ１９）、ＩＣカード３からの更新完了信号の受信等に応じて、ワーク領域における決済完了サウンドデータを読み出してサウンドを出力する（ステップＳ２０）。
また、カードの残高が不足している場合（残高−決済金額＜０等）には（ステップＳ１７：ＹＥＳ）、制御部４１は、ワーク領域における残高不足サウンドデータを読み出してサウンドを出力し、エラー表示する等の所定のエラー処理を行う（ステップＳ２１）。
これにより、決済が正しく完了した場合には、利用者の好みで指定された決済完了用のサウンドが確認音として鳴る。また、残高が不足した場合には、利用者の好みで指定された残高不足用のサウンドが確認音として鳴る。
【００５５】
（第３の実施形態）
次に、本発明の第３実施形態について説明する。本発明の第３の実施形態のＩＣカード決済システムは、企業等により音楽提供サイトに登録されたサウンドデータ（例えば、企業のＣＭソング、新人歌手のデビュー曲等）を利用者がＩＣカード３にダウンロードして決済に使用した場合に、利用者に対して決済金額の割引等の優待処理を行うシステムである。
本実施形態のＩＣカード決済システムの構成例を図１０に示す。第３の実施形態３のＩＣカード決済システムの構成要素は第１の実施形態と同様であり、音楽提供サーバ１と、利用者端末２と、ＩＣカード３と、店舗端末４と、を備える。本実施形態では、音楽提供サーバ１と利用者端末２と店舗端末４はインターネット等のネットワーク１０により接続される。
【００５６】
音楽提供サーバ１は、第１の実施形態とほぼ同様の機能及び構成を有するが、企業の端末からＣＭソング等のサウンドデータの登録要求を受け付けて優待サウンドデータとして登録する機能、店舗端末４からの要求に応じて優待サウンドデータの登録情報を供給する機能をさらに有する点で第１の実施形態と相違する。また、音楽提供サーバ１の記憶部１２は、第１の実施形態におけるサウンドＤＢ１２ａと、上記の優待サウンドデータが記憶される優待サウンドＤＢ１２ｂと、を備える。
【００５７】
本実施形態の音楽提供サーバ１の制御部１１は、記憶部１２に予め記憶された動作プログラム等を読み出して実行することにより、サウンド提供部１１ａ、優待サウンド登録部１１ｂ、登録情報供給部１１ｃを論理的に実現する。
【００５８】
サウンド提供部１１ａは、第１の実施形態と同様の処理を行うものであり、サウンドＤＢ１２ａと後述する優待サウンドＤＢ１２ｂに登録されたサウンドデータを供給するためのウェブページを利用者端末２に送信し、利用者により選択されたサウンドデータをサウンドＤＢ１２ａ、優待サウンドＤＢ１２ｂから読み出して要求元の利用者端末２に送信する。
優待サウンド登録部１１ｂは、企業から受け付けたサウンドデータの入力を受け付けて、入力されたサウンドデータを記憶部１２における優待サウンドＤＢ１２ｂに登録する。なお、サウンドデータの入力方法は任意であり、例えば、ＣＤ−Ｒ等の記録媒体に記憶されたサウンドデータを図示せぬ記録媒体読取部（ＣＤドライブ）から読み出して、優待サウンドＤＢ１２ｂに記憶してもよく、また、ネットワーク１０を介して企業の端末からサウンドデータのファイルを受信し、受信したサウンドデータを優待サウンドＤＢ１２ｂに記憶してもよい。
登録情報供給部１１ｃは、例えば、ネットワーク１０を介して店舗端末４から優待サウンドデータの登録情報の要求を受信すると、優待サウンドＤＢ１２ｂを参照して、優待サウンドデータの登録情報（例えば、優待サウンドＤＢ１２ｂに登録されている優待サウンドデータのファイル名の一覧等）を生成し、要求元の店舗端末４に送信する。なお、優待サウンドデータの登録情報は所定のタイミングで予め生成・記憶していてもよい。
【００５９】
利用者端末２は、第１の実施形態と同様の機能及び構成を有し、音楽提供サーバ１にネットワーク１０を介して接続して、音楽提供サーバ１に登録されているサウンドデータから利用者が選択したサウンドデータをダウンロードして、ＩＣカード３に記録する。
【００６０】
ＩＣカード３は、第１の実施形態と同様の機能及び構成を有し、利用者端末２や店舗端末４からの要求信号に応じて、サウンドデータをメモリ３１に記憶する処理、電子マネーをチャージする処理、店舗においてメモリ３１に記憶されている電子マネーを支払う処理等を行う。
【００６１】
店舗端末４は、第１の実施形態とほぼ同様の機能及び構成を有するが、ネットワーク１０を介して音楽提供サーバ１から優待サウンドデータの登録情報を取得し、決済において利用者のＩＣカード３から取得したサウンドデータが優待サウンドデータに該当する場合には割引等の優待処理（第１の優待処理）を行う機能を有する点で第１の実施形態と異なる。
具体的には、店舗端末４の制御部４１は、例えば図示せぬ内部タイマを用いて所定時間毎に、ネットワーク１０を介して音楽提供サーバ１に接続し、優待サウンドデータの登録情報を要求して受信する。そして、受信した優待サウンドデータの登録情報を記憶部４２に更新記憶する。そして、制御部４１は、決済処理において、ＩＣカード３に対して電子マネー情報とサウンドデータを要求して受信し、記憶部４２のワーク領域に記憶する。そして、制御部４１は、記憶部４２に記憶されている優待サウンドデータの登録情報を参照し、ワーク領域に記憶したサウンドデータが優待サウンドデータのいずれかに該当するか（例えば、ワーク領域のサウンドデータのファイル名が、優待サウンドデータのファイル名のいずれかと一致するか等）を判別する。そして、ワーク領域のサウンドデータが優待サウンドデータに該当する場合には、制御部４１は、予め設定されている優待処理（第１の優待処理）を行う。本実施形態では、決済金額から１０％割り引くよう設定されていることとする。この場合、制御部４１は、カード残高から割引後の決済金額を差し引いた金額を新たな残高として電子マネー情報を生成する。また、ワーク領域のサウンドデータが優待サウンドデータに該当しない場合には、そのままの決済金額で残高更新を行い、更新後の金額に基づいて電子マネー情報を生成する。そして、例えばＩＣカード３からの更新完了信号の受信等に応じて、ワーク領域におけるサウンドデータを読み出し、所定の変換処理等を行ってスピーカ部４６からサウンドを出力する。
【００６２】
次に、決済場面において本実施形態の店舗端末４により実行される決済処理について、図１１のフローチャートを参照して具体的に説明する。
店舗のレジにおいて、店員は利用者から商品とＩＣカード３を受け取り、店舗端末４に対して、決済を開始するための所定の入力操作を行う。これに応じて、店舗端末４の制御部４１は、決済対象の商品の商品コードの入力を受け付ける（ステップＳ３１）。次に、制御部４１は、入力された商品コードに対応する価格等を商品ＤＢ４２ａから読み出し（ステップＳ３２）、読み出した商品の価格を合算して決済金額を算出する（ステップＳ３３）。
次に、制御部４１は、店員によりカードリーダ／ライタ部４７に装着されたＩＣカード３に対して、サウンドデータと電子マネー情報の要求信号を送信する（ステップＳ３４）。これに応じて、ＩＣカード３では、店舗端末４からの要求信号に応じて、メモリ３１の各記憶領域に記憶されているサウンドデータと電子マネー情報を読み出して、店舗端末４に送信する。
【００６３】
制御部４１は、ＩＣカード３からサウンドデータと電子マネー情報を受信して記憶部４２のワーク領域に記憶する（ステップＳ３５）。そして、記憶部４２に記憶されている優待サウンドデータの登録情報を参照し、ワーク領域に記憶したサウンドデータが優待サウンドデータのいずれかに該当するか（例えば、ワーク領域のサウンドデータのファイル名が、優待サウンドデータのファイル名のいずれかと一致するか等）を判別する（ステップＳ３６）。ワーク領域のサウンドデータが優待サウンドデータに該当する場合（ステップＳ３６：ＹＥＳ）には、制御部４１は、決済金額から１０％割り引いた金額を新たな決済金額とする等の優待処理（第１の優待処理）を行い（ステップＳ３７）、決済金額を表示する（ステップＳ３８）。また、ワーク領域のサウンドデータが優待サウンドデータに該当しない場合（ステップＳ３６：ＮＯ）には、制御部４１は、そのままの決済金額を表示する（ステップＳ３８）。
【００６４】
そして、制御部４１は、ワーク領域に記憶された電子マネーカードの残高から決済金額を差し引いた新たな残高を含む電子マネー情報を生成し（ステップＳ３９）、生成した電子マネー情報と書込要求をＩＣカード３に送信する（ステップＳ４０）。これに応じて、ＩＣカード３では、店舗端末４から書込要求と電子マネー情報を受信し、電子マネー情報をメモリ３１に更新して記録する。そして、更新完了信号を店舗端末４に送信する。
制御部４１は、例えば、ＩＣカード３からの更新完了信号の受信等に応じて、ワーク領域におけるサウンドデータを読み出してサウンドを出力する（ステップＳ４１）。
これにより、利用者が予め企業のＣＭソング等の優待サウンドデータをＩＣカード３に格納し、そのカードを決済に使用することにより、利用者は割引等の優待サービスを受けることができる。また、このような優待サービスにより、優待サウンドデータの決済の確認音として利用が増加するため、企業等の宣伝効果が向上する。
【００６５】
（第４の実施形態）
次に、本発明の第４の実施形態について説明する。本発明の第４の実施形態に係るＩＣカード決済システムは、第３の実施形態のシステム変形例であり、企業等により音楽提供サイトに登録されたサウンドデータ（優待サウンドデータ）を利用者がＩＣカード３にダウンロードして、その優待サウンドデータに対応する商品の決済に使用した場合には、その商品についてさらに割引を行う等の更なる優待処理（第２の優待処理）を行うシステムである。
本システムの構成は第３の実施形態と同様であり、第３の実施形態における音楽提供サーバ１と、利用者端末２と、ＩＣカード３と、店舗端末４と、を備える。
【００６６】
音楽提供サーバ１は、第３の実施形態とほぼ同様の機能及び構成を有するが、企業の端末からＣＭソング等のサウンドデータとそれに対応する商品の商品情報（優待商品情報）の登録要求を受け付けて、優待サウンドデータと優待商品情報を優待サウンドＤＢ１２ｂに登録する機能、店舗端末４からの要求に応じて優待サウンドデータの登録情報及び優待商品情報を供給する機能を有する点で第３の実施形態と相違する。また、優待サウンドＤＢ１２ｂに登録される優待商品情報は、例えば、商品コード、商品名、対応する優待サウンドデータのファイル名等の情報を含む。
【００６７】
音楽提供サーバ１のサウンド提供部１１ａは、第３の実施形態と同様の処理を行うものである。
優待サウンド登録部１１ｂは、企業から受け付けた優待サウンドデータ及び優待商品情報を記憶部１２における優待サウンドＤＢ１２ｂに登録する。なお、サウンドデータ及び商品情報の入力方法は任意であり、例えば、ＣＤ−Ｒ等の記録媒体に記憶されたサウンドデータを図示せぬ記録媒体読取部（ＣＤドライブ）から読み出して、優待サウンドＤＢ１２ｂに記憶してもよく、また、ネットワーク１０を介して企業の端末からサウンドデータ及び商品情報のファイルを受信し、受信データを優待サウンドＤＢ１２ｂに記憶してもよい。
登録情報供給部１１ｃは、例えば、ネットワーク１０を介して店舗端末４から優待サウンドデータの登録情報及び優待商品情報の要求を受信すると、優待サウンドＤＢ１２ｂを参照して、優待サウンドデータの登録情報（例えば、優待サウンドＤＢ１２ｂに登録されている優待サウンドデータのファイル名の一覧等）を生成し、優待商品情報とともに要求元の店舗端末４に送信する。なお、優待サウンドデータの登録情報は所定のタイミングで予め生成・記憶していてもよい。
【００６８】
利用者端末２は、第３の実施形態と同様の機能及び構成を有し、音楽提供サーバ１にネットワーク１０を介して接続して、音楽提供サーバ１に登録されているサウンドデータから利用者が選択したサウンドデータをダウンロードして、ＩＣカード３に記録する。
【００６９】
ＩＣカード３は、第３の実施形態と同様の機能及び構成を有し、利用者端末２や店舗端末４からの要求信号に応じて、サウンドデータをメモリ３１に記憶する処理、電子マネーをチャージする処理、店舗においてメモリ３１に記憶されている電子マネーを支払う処理等を行う。
【００７０】
店舗端末４は、第３の実施形態とほぼ同様の機能及び構成を有するが、ネットワーク１０を介して音楽提供サーバ１から優待サウンドデータの登録情報及び優待商品情報を取得し、決済において利用者のＩＣカード３から取得したサウンドデータが優待サウンドデータに該当する場合には割引等の優待処理（第１の優待処理）を行うとともに、決済対象商品に所定の優待商品が含まれている場合にはさらに割り引く等のさらなる優待処理（第２の優待処理）を行う機能を有する点で第３の実施形態と異なる。
【００７１】
具体的には、店舗端末４の制御部４１は、例えば図示せぬ内部タイマを用いて所定時間毎に、ネットワーク１０を介して音楽提供サーバ１に接続し、優待サウンドデータの登録情報及び優待商品情報を要求して受信する。そして、受信した優待サウンドデータの登録情報及び優待商品情報を記憶部１２に更新記憶する。そして、制御部４１は、決済処理において、ＩＣカード３に対して電子マネー情報とサウンドデータを要求して受信し、記憶部４２のワーク領域に記憶する。そして、制御部４１は、記憶部４２に記憶されている優待サウンドデータの登録情報を参照し、ワーク領域に記憶したサウンドデータが優待サウンドデータのいずれかに該当するか（例えば、ワーク領域のサウンドデータのファイル名が、優待サウンドデータのファイル名のいずれかと一致するか等）を判別する。そして、ワーク領域のサウンドデータが優待サウンドデータに該当する場合には、制御部４１は、予め設定されている第１の優待処理を行う。本実施形態では、決済金額から１０％割り引くよう設定されていることとする。続いて、優待商品情報を参照し、決済対象の商品のいずれかが優待商品のいずれかに該当するか（例えば、決済対象の商品の商品コードが、優待商品情報の商品コードのいずれかと一致するか等）を判別する。そして、決済対象の商品のいずれかが優待商品に該当する場合には、制御部４１は、予め設定されている第２の優待処理を行う。本実施形態では、該当商品の価格の１０％分の金額を決済金額から割り引くよう設定されていることとする。制御部４１は、カード残高から割引後の決済金額を差し引いた金額を新たな残高として電子マネー情報を生成する。また、ワーク領域のサウンドデータが優待サウンドデータに該当しない場合には、そのままの決済金額で残高更新を行い、更新後の金額に基づいて電子マネー情報を生成する。そして、例えばＩＣカード３からの更新完了信号の受信等に応じて、ワーク領域におけるサウンドデータを読み出し、所定の変換処理等を行ってスピーカ部４６からサウンドを出力する。
【００７２】
次に、決済場面における本実施形態の店舗端末４の動作について、図１２のフローチャートを参照して具体的に説明する。
店舗のレジにおいて、店員は利用者から商品とＩＣカード３を受け取り、店舗端末４に対して、決済を開始するための所定の入力操作を行う。これに応じて、店舗端末４の制御部４１は、決済対象の商品の商品コードの入力を受け付ける（ステップＳ５１）。次に、制御部４１は、入力された商品コードに対応する価格等を商品ＤＢ４２ａから読み出し（ステップＳ５２）、読み出した商品の価格を合算して決済金額を算出する（ステップＳ５３）。
次に、制御部４１は、店員によりカードリーダ／ライタ部４７に装着されたＩＣカード３に対して、サウンドデータと電子マネー情報の要求信号を送信する（ステップＳ５４）。これに応じて、ＩＣカード３では、店舗端末４からの要求信号に応じて、メモリ３１の各記憶領域に記憶されているサウンドデータと電子マネー情報を読み出して、店舗端末４に送信する。
【００７３】
制御部４１は、ＩＣカード３からサウンドデータと電子マネー情報を受信して記憶部４２のワーク領域に記憶する（ステップＳ５５）。そして、記憶部４２に記憶されている優待サウンドデータの登録情報を参照し、ワーク領域に記憶したサウンドデータが優待サウンドデータのいずれかに該当するか（例えば、ワーク領域のサウンドデータのファイル名が、優待サウンドデータのファイル名のいずれかと一致するか等）を判別する（ステップＳ５６）。ワーク領域のサウンドデータが優待サウンドデータに該当する場合（ステップＳ５６：ＹＥＳ）には、制御部４１は、決済金額から１０％割り引いた金額を新たな決済金額として算出する等の第１の優待処理を行い（ステップＳ５７）、続いて、記憶部４２に記憶されている優待商品情報を参照し、決済対象商品の商品コードのいずれかが優待商品のいずれかに該当するか（例えば、決済対象の商品のいずれかの商品コードが優待商品情報の商品コードのいずれかと一致するか等）を判別する（ステップＳ５８）。決済対象の商品が優待商品のいずれかに該当する場合（ステップＳ５８：ＹＥＳ）、制御部４１は、ステップＳ５７において算出された決済金額から、該当商品の価格の１０％相当の金額を差し引いた金額を新たな決済金額として算出する等の第２の優待処理を行い（ステップＳ５９）、決済金額を表示する（ステップＳ６０）。また、決済対象の商品が優待商品に該当しない場合（ステップＳ５８：ＮＯ）には、第１の優待処理により算出された決済金額を表示する（ステップＳ６０）。また、ワーク領域のサウンドデータが優待サウンドデータに該当しない場合（ステップＳ５６：ＮＯ）、制御部４１は、そのままの決済金額を表示する（ステップＳ６０）。
【００７４】
そして、制御部４１は、ワーク領域に記憶された電子マネーカードの残高から決済金額を差し引いた新たな残高を含む電子マネー情報を生成し（ステップＳ６１）、生成した電子マネー情報と書込要求をＩＣカード３に送信する（ステップＳ６２）。これに応じて、ＩＣカード３では、店舗端末４から書込要求と電子マネー情報を受信し、電子マネー情報をメモリ３１に更新して記録する。そして、更新完了信号を店舗端末４に送信する。
【００７５】
制御部４１は、例えば、ＩＣカード３からの更新完了信号の受信等に応じて、ワーク領域におけるサウンドデータを読み出してサウンドを出力する（ステップＳ６３）。
これにより、利用者が予め企業のＣＭソング等の優待サウンドデータをＩＣカード３に格納し、そのカードを決済に使用することにより、利用者は割引等の優待を受けることができる。また、優待サウンドデータに対応する優待商品を購入する場合には、さらなる割引等の優待サービスを受けることができる。このような優待サービスにより、優待サウンドデータの決済の確認音として利用が増加するため、企業の宣伝効果が向上する。また、商品購入のリピート率を向上させることができる。
【００７６】
この発明は上記実施の形態に限定されず、種々の変形及び応用が可能である。
例えば、第２の実施形態と第３の実施形態、第２の実施形態と第４の実施形態、を組み合わせてもよい。この場合、ＩＣカード３には複数の状況に応じたそれぞれ異なるサウンドデータが格納され、各状況（正常な決済時、残高不足時、チャージ時等）においてそれぞれ対応するサウンドデータが店舗端末４に供給され、サウンドが出力されるとともに、決済用のサウンドデータが優待サウンドデータである場合には、決済時に利用者に対して優待処理を実行するシステムが実現される。
【００７７】
また、第３の実施形態、第４の実施形態における優待処理の内容は任意に設定可能であり、例えば、割引率を変えても良く、クーポン券、サービス券等を発券してもよく、電子マネーのチャージサービス等を提供してもよい。
【００７８】
また、第３の実施形態、第４の実施形態において、例えば、サウンドデータと優待サウンドデータが一致するかを判別するために使用するデータはファイル名に限定されず任意であり、サウンドデータを識別できる情報であればよい。例えば、サウンドデータが識別コードを有する構成の場合には、その識別コードが一致するかを判別するようにしてもよい。
【００７９】
また、第２の実施形態において、決済完了サウンドデータと残高不足サウンドデータのみを使用するようにしてもよい。また、決済完了サウンドデータとチャージ完了サウンドデータのみを使用するようにしてもよい。
【００８０】
なお、第１〜第４の実施形態において、ＩＣカード３に格納されるサウンドデータは、音楽提供サーバ１からダウンロードしたものに限定されず、例えば、利用者端末２等の端末上でユーザが作成したサウンドデータをリーダ／ライタ装置を介してＩＣカード３に記録して使用するようにしてもよい。
【００８１】
なお、この発明のシステムは、専用のシステムによらず、通常のコンピュータシステムを用いて実現可能である。例えば、上述の動作を実行するためのプログラムをコンピュータ読み取り可能な記録媒体（ＦＤ、ＣＤ−ＲＯＭ、ＤＶＤ等）に格納して配布し、該プログラムをコンピュータにインストールすることにより、上述の処理を実行する音楽提供サーバ１、利用者端末２、店舗端末４等を構成してもよい。また、インターネット等のネットワーク１０上のサーバ装置が有するディスク装置に格納しておき、例えばてコンピュータにダウンロード等するようにしてもよい。
また、上述の機能を、ＯＳが分担又はＯＳとアプリケーションの共同より実現する場合等には、ＯＳ以外の部分のみを媒体に格納して配布してもよく、また、コンピュータにダウンロード等してもよい。
【図面の簡単な説明】
【００８２】
【図１】本発明の第１の実施形態のＩＣカード決済システムの構成を示す図である。
【図２】第１の実施形態のＩＣカード決済システムで使用される音楽提供サーバの構成を示す図である。
【図３】第１の実施形態のＩＣカード決済システムで使用される利用者端末の構成を示す図である。
【図４】第１の実施形態のＩＣカード決済システムで使用されるＩＣカードの構成を示す図である。
【図５】第１の実施形態のＩＣカード決済システムで使用される店舗端末の構成を示す図である。
【図６】第１の実施形態のＩＣカード決済システムにおいて、利用者がＩＣカードにサウンドデータをダウンロードする場合のシステム動作を説明するための図である。
【図７】第１の実施形態の店舗端末により実行される決済処理を説明するためのフローチャートである。
【図８】第２の実施形態のＩＣカード決済システムで使用されるＩＣカードの構成を示す図である。
【図９】第２の実施形態の店舗端末により実行される決済処理を説明するためのフローチャートである。
【図１０】本発明の第３の実施形態のＩＣカード決済システムの構成を示す図である。
【図１１】第３の実施形態の店舗端末により実行される決済処理を説明するためのフローチャートである。
【図１２】第４の実施形態の店舗端末により実行される決済処理を説明するためのフローチャートである。
【符号の説明】
【００８３】
１            音楽提供サーバ
２            利用者端末
３            ＩＣカード
４            店舗端末
１０          ネットワーク
１１          制御部
１１ａ        サウンド提供部
１１ｂ        優待サウンド登録部
１１ｃ        登録情報供給部
１２          記憶部
１２ａ        サウンドＤＢ
１２ｂ        サウンドＤＢ
１３          通信制御部
２１          制御部
２２          記憶部
２３          表示部
２４          入力部
２５          通信制御部
２６          インターフェース部
２７          リーダ／ライタ装置
３１          メモリ
３２          ＣＰＵ
４１          制御部
４２          記憶部
４３          表示部
４４          入力部
４５          通信制御部
４６          スピーカ部
４７          カードリーダ／ライタ部
【図１】
0003721179.tif 000002
【図２】
0003721179.tif 000003
【図３】
0003721179.tif 000004
【図４】
0003721179.tif 000005
【図５】
0003721179.tif 000006
【図６】
0003721179.tif 000007
【図７】
0003721179.tif 000008
【図８】
0003721179.tif 000009
【図９】
0003721179.tif 000010
【図１０】
0003721179.tif 000011
【図１１】
0003721179.tif 000012
【図１２】
0003721179.tif 000013